(57)【要約】      （修正有）【課題】一般的に販売されている革製や合成皮革製の二つ折り名刺入れの形状を損なわず名刺を簡単に一枚ずつ取り出す事が出来る名刺取り出し装置付き名刺入れを提供する。【解決手段】名刺入れの前面部材６又は背面部材７に中空のガイド孔１を設け、補強プレートを裏側に貼付し、ガイド孔１を挟んでスライドボタン２と、弓形摩擦板４の凸部を固着することにより、ガイド孔に沿って自由にスライド出来、戻しスプリングで自動引き戻しを可能にする。弓形摩擦板４と対面する前面部材６または背面部材７の内側に、名刺の収納規模に合わせた位置を一定の角度で内側に折り曲げ、折り曲げ部分を摩擦板にした抜け出し防止板５を貼付させて構成する。【選択図】図１
0003181827.tif 000002
【実用新案登録請求の範囲】
【請求項１】
前面部材または背面部材に中空のガイド孔を設け、補強プレートを裏側に貼付し、ガイド孔を挟んでスライドボタンと一体となって自由スライドする、中央部が湾曲した弓形摩擦板を備えた事を特徴とする名刺入れ。
【請求項２】
前記弓形摩擦板の凸部に線状ばねの中央部を掛け、両端は前面部材または背面部材と側面部材との縫い合わせ部分に、挟み固定した戻しスプリングを備えた事を特徴とする請求項１記載の名刺入れ。
【請求項３】
前記弓形摩擦板に対面する前面部材または背面部材の内側に、名刺の収納規模に合わせた位置を一定の角度に折り曲げ、折り曲げ部分の内側の全部または一部を摩擦板にした抜け出し防止板を貼付した事を特徴とする請求項２記載の名刺入れ。
【考案の詳細な説明】
【技術分野】
【０００１】
本考案は、一般的に販売されている二つ折りの革製や合成皮革製の名刺入れから名刺を一枚ずつ取り出すことが出来る名刺取り出し装置を装着した名刺入れに関するものである。
【背景技術】
【０００２】
従来一般的な革製や合成皮革製の二つ折り名刺入れから名刺を取り出す場合、狭い収納ポケットに指を差し込み擦るように引き出したり、摘み出して捲り取るようにして取り出さなければならない、このとき重なって収納されている名刺を一枚だけ取り出す事が困難である。
【０００３】
しかしこの種の名刺入れは全く改良されておらず未だに前述の状況にある。発明、考案されているものには名刺入れの底部の形状を変えて取り出し安くしたものや、収納ポケットの形状を変えて指で取り出し安くしたものなどがあるがスムースな取り出しは出来ない。一般的な形状ではなく新規に箱形に形成された物もあるが、これらは別種の器具であってポケットに入れて常に携帯するには適していない。
【先行技術文献】
【特許文献】
【０００４】
【特許文献１】特許公開平８−１２６５１３
【非特許文献】
【０００５】
【非特許文献１】実用新案公開平７−７５２３
【考案の概要】
【考案が解決しようとする課題】
【０００６】
一般的に販売されている革製や合成皮革製の二つ折り名刺入れから名刺を取り出す場合単純に指で擦り出したり捲り取るのではなく、機械的に簡単に一枚ずつ取り出す事が出来る、名刺取り出し装置付き名刺入れを提供することである。
【課題を解決するための手段】
【０００７】
名刺入れの前面部材６または背面部材７に中空のガイド孔を設け、ガイド孔を挟んで前面のスライドボタン２と、弓形摩擦板４の凸部を固着することにより、ガイド孔１内をスライド可能にし、戻しスプリング９の弾性力により元の位置に押し戻し可能にした名刺押し出し機構と、対面する前面部材６または背面部材７に、端部を一定の角度で内側に折り曲げ、折り曲げ部分を摩擦板にした抜け出し防止板５を貼付させることで解決した。
【考案の効果】
【０００８】
本考案の名刺入れは、収納ポケット内の名刺を取り出す際に、名刺取り出し装置の装着により、収納ポケットの外からスライドボタンを押し滑らすだけで、狭い収納ポケットに指を差し込んで引き出す必要がなくなり、抜け出し防止板の効果で複数の名刺が重なり出ることもなく、簡単に一枚だけを取り出すことが可能となる。
【図面の簡単な説明】
【０００９】
【図１】名刺取り出し装置を前面部材側から装着した名刺入れの斜視図である。
【図２】図１の名刺取り出し装置の分解図である。
【図３】図１の前面部材の裏面図である。
【図４】図１のＡ−Ａの断面図で背面部材側から装着した場合との比較図である。
【図５】前面部材側、背面部材側からの名刺を押し出した時の断面図である。
【考案を実施するための形態】
【００１０】
前面部材６に中空のガイド孔１を設け、補強プレート１０を貼付し、ガイド孔１を挟んでスライドボタン２と、弓形摩擦板４の凸部３を固着し、戻しスプリング９で引き戻し可能とする名刺押し出し機構と、抜け出し防止板５の最小の部品点数で、スムーズな名刺取り出しを実現した。
【実施例】
【００１１】
図１は本装置を前面部材側から装着した名刺入れの斜視図である、同時に図２の分解図を併用して説明する。前面部材６に中空のガイド孔１を設け、ガイド孔１を挟んで前面のスライドボタン２に弓形摩擦板４の凸部３を固着して一体となっている、これらはガイド孔１に添って自由にスライドすることが出来、スライドボタン２を押し滑らす事により弓形摩擦板４の摩擦抵抗力で名刺を押し出すことが出来る、側面部材８は柔軟な材料で収納ポケット１１を広げたり、狭めることが出来、名刺の収納量に応じた厚みを保つことが出来る。抜け出し防止板５は名刺の収納規模に合わせた位置を一定の角度で内側に折り曲げ、折り曲げ部分は摩擦板となっており、背面部材７の内側に貼付し、名刺を押し出す際に複数の名刺が重なり出ないように抑止する。
【００１２】
図２は名刺入れの分解図で、前面部材側から取り付けた場合の各部品の形状と位置関係を示す、この内スライドボタン２と弓形摩擦板４の凸部３を固着し、一体となる。補強プレート１０は前面部材６の裏面に貼付し、摩擦板４の凸部３のスライド摩擦に対する補強である。弓形摩擦板４の中央部は湾曲してあり、両端部の二箇所で名刺を幅広く押さえ、歪み出ないように保持出来る構造となっている。
【００１３】
図３は前面部材６の裏面図で、弓形摩擦板４の凸部３を切り離した断面図である。弓形摩擦板４の凸部３に戻しスプリング９の中央を掛け、両端は前面部材６と側面部材８の縫い合わせ部分に挟み込み固定してあり、スライドさせた名刺押し出し機構を引き戻す作用となる。
【００１４】
図４の（ａ）は前面部材６側から装着した図１のＡ−Ａの断面図で、（ｂ）は背面部材７側から装着した場合の比較図である、双方の部品は正反対の取付となり、操作方法は前面操作と背面操作の違いとなる。
【００１５】
図５は収納ポケット１１から名刺取り出し装置で名刺を押し出した時の断面図である。スライドボタン２を矢印の方向に押し滑らす事により、名刺１２は弓形摩擦板４の摩擦抵抗で、数枚が重なり合ったまま同方向に移動し、抜け出し防止板５の折り曲げ部分に突き当たる、ここで弓形摩擦板４の摩擦抵抗に直接接触している名刺１２は、斜面を滑り抜けて行くが、他の名刺は名刺間の摩擦抵抗が低いため、抜け出し防止板５の摩擦抵抗に負け、抜け出すことは出来ない仕組みとなっている。
【００１６】
図５の（ｂ）は名刺取り出し装置を背面部材７側から取り付け、名刺を収納ポケットから押し出した時の断面図である。この場合、スライドボタン２の操作は背面側で行うことになるが、取り出し効果は同じである。このように一般的に多く販売されている名刺入れの形状をそのままに少しの加工で装着が可能である。
【産業上の利用可能性】
【００１７】
本装置を従来の名刺入れに装着することによりスムースな名刺取り出しが出来、違和感なく携帯できる。
【符号の説明】
【００１８】
１    ガイド孔
２    スライドボタン
３    凸部
４    弓形摩擦板
５    抜け出し防止板
６    前面部材
７    背面部材
８    側面部材
９    戻しスプリング
１０  補強プレート
１１  収納ポケット
１２  名刺
【図１】
0003181827.tif 000003
【図２】
0003181827.tif 000004
【図３】
0003181827.tif 000005
【図４】
0003181827.tif 000006
【図５】
0003181827.tif 000007